(57)【特許請求の範囲】
【請求項１】
病院で使用するマットレスよりも長尺、かつ幅広に形成した長方形のシ−ツ（織物、編み物、経編み、緯編み、不織布など）の幅方向一端側から所定位置の長手方向両端より長手方向に沿って所要の長さだけ色付き糸を縫着し、該長手方向両端を裏面側に所要の長さだけ折り返すことにより、シ−ツ表面部と裏面覆い部とに画成し、該シ−ツ表面部と裏面覆い部長手方向両端の幅方向両端を着脱自在の係着手段で係着する事によりマットレス挿入部を形成し、また該マットレス挿入部の形成により幅方向両端には横向きに開口するノ−スリ−ブ状開口部を有し、かつ前記シ−ツ表面部の幅方向両端側はマットレスよりも外側を側方敷き込み部として構成してあることを特徴とする病院用シ−ツ。
【発明の詳細な説明】
【０００１】
【発明の属する技術分野】
本発明は、ベッド上のマットレスに被装するシ−ツに関し、特に日々相当枚数のシ−ツ交換作業が必要な病院や療養所等の施設で使用するのに好適な病院用シ−ツに関する。
【０００２】
【従来の技術】
近年、病院内においてＭＲＳＡ（メシチリン抵抗性黄色ブドウ球菌）による院内感染が蔓延し、入院患者が感染して死亡者が出ている。メシチリンはペニシリンの効かない細菌を減菌するため開発された薬であるが、この抗生物質によっても死なない菌も発生し、これ以上新しい抗生物質の開発と耐菌性の繰り返しが続き、今やいろいろな抗生物質の効かない多剤性の黄色ブドウ球菌であり、健康な人でも鼻の穴などから検出され、それ自体は問題ないが抵抗力が弱い患者及び重症患者に感染すると、肺炎や敗血症など重い感染症を引き起こすので防止策として消毒と検査が重要な条件にされている。
【０００３】
上記したような事態のため、清潔を要求され、マットレス及びパット類は丸洗い、消毒が必要となり、そのため操作の容易なコンパクトで軽量なる構成に移行しつつある。従来は、マットレスの上にフラットシ−ツ（平坦にして一枚物）を使用した。これは、マットレスの上にパット及び綿布団を重ね、その上にシ−ツを被せ四方の縁部をマットレスの下に敷き込むことにより、マットレスを被装するものであるが、マットレスが軽量になったため一人で敷き込むには時間がかかり、現在では二人がかりである。
【０００４】
【発明が解決しようとする課題】
病院のマットレスはスプリング、固綿、パ−ム、ウレタンなどの素材で、厚さ、幅などが様々である。そのため従来のシ−ツはフラットシ−ツを使用していたがこの場合、マットレスの軽量化により一人での交換では極めて作業性が悪く二人で交換をしていた。また、病院でのシ−ツ交換は一週間に一度だが、寝返りを打つとシ−ツがしわになりやすく、看護婦が直すため手間がかかる。更にマットレス上にシ−ツを被せる位置は、目見当で行うため適切な位置にシ−ツを合わせないと縁側の敷き込み幅を取ることができず使用中に捲れたり、ずり落ちたりするという問題がある。
【０００５】
そのため、マットレスの周囲に過剰に敷き込むことができるようにマットレスに対し、略倍の大きさの過大なシ−ツを使用することも行われており、これに対する製造コスト、洗濯量、水道量、下水量の増加という問題も招いている。
【０００６】
以上の対策として、ボックス型シ−ツ（女性がシャワ−をするときに使用するビニ−ルキャップと同形）を使用している。ボックス型シ−ツはマットレス上に被せると下にゴムが付いているため包み込むことができフラットシ−ツに比べ簡単にして一人で手早く作業が可能であるが、シ−ツ交換後の洗濯作業に際して洗濯後のアイロン（シ−ツロ−ラ−業務用）使用時にシ−ツロ−ルは蒸気を熱板に通し、シ−ツをロ−ラ−で巻き上げながらしわを伸ばすものでボックス型シ−ツはロ−ラ−とロ−ラ−の間にシ−ツを入れるとゴムが有るためにしわが伸びないという問題がある。
【０００７】
そこで、長方形シ−ツの長手方向両端を筒状に折り返し、縫着して使用したがこれもシ−ツロ−ルに長手方向一端から挿入した場合、他端側の筒状折り返し部分が垂れ下がりしわになってしまう問題があった。
【０００８】
本発明は、上述した従来技術の欠点に鑑みなされたもので、従来のシ−ツ交換には二人がかりで時間と手間を要したものを、一人で簡単に手早くセットができ使用中に捲れたり、ずり落ちたりすることがなく使用者にも好適で洗濯、集配に際しても従来のフラットシ−ツ、ボックス型シ−ツと比較しても手間が半分で済み省力化と作業時間の短縮化を可能とする経済的な病院用シ−ツを提供することを目的とする。
【０００９】
【課題を解決するための手段】
上述した問題を解決するために構成した本発明の手段は、病院で使用するマットレスよりも長尺、かつ幅広に形成した長方形のシ−ツ（織物、編み物、経編み、緯編み、不織布など）の幅方向一端側から所定位置の長手方向両端より長手方向に沿って所要の長さだけ色付き糸を縫着し、該長手方向両端を裏面側に所要の長さだけ折り返すことにより、シ−ツ表面部と裏面覆い部とに画成し、該シ−ツ表面部と裏面覆い部の長手方向両端に位置する幅方向両端は着脱自在の係着手段で係着する事によりマットレス挿入部を形成し、また該マットレス挿入部の形成により幅方向両端には横向きに開口するノ−スリ−ブ状開口部を形成し、かつ前記シ−ツ表面部の幅方向両端側はマットレスよりも外側を側方敷き込み部として構成したものからなる。
【００１０】
【発明の実施の形態】
以下、本発明の実施の形態を図面に基づき詳述する。図において、１は本形態に係る病院用シ−ツ（以下シ−ツという。）を被装するマットレスを示す。該マットレス１は公知の素材及び構成からなるもので表面１Ａ、裏面１Ｂ、前端面１Ｃ、後端面１Ｄ及び側面１Ｅ、１Ｅを有し長さＬ、幅Ｗ及び厚さＴの大きさからなっている。
【００１１】
シ−ツ２は綿とポリエステルを混合したものからなるシ−ツ織物３によって形成してあるが、該シ−ツ織物３はマットレス１の全長より長さを約３０〜４０ｃｍ程度縦長に、かつマットレス１の横幅より幅を約２０〜３０ｃｍ程度横長に形成したもので上方面縁３Ａ、下方面縁３Ｂ幅方向側縁３Ｃ、３Ｃを有する長方形織物を縁取りしたものである。４は、前記シ−ツ２の上方面縁３Ａ及び下方面縁３Ｂの幅方向一端側から中央側に約１０〜１５ｃｍの位置から長手方向沿って所定の長さまで色付き糸を縫着した色糸縫着部で、５は前記シ−ツ２のうちマットレス１の表面１Ａを覆うシ−ツ表面部、６は該シ−ツ表面部５に続く長手方向を裏面側に折り返して形成した裏面覆い部を示し、該裏面覆い部６はマットレス１の前端面１Ｃから裏面１Ｂにかけて折り返すことによりマットレス１の裏面１Ｂを覆うもので、各裏面覆い部６はマットレス１の厚さＴに約１０ｃｍをそれぞれ加えた覆い幅Ｌ１なっている。
【００１２】
７は裏面覆い部６とシ−ツ表面部５を係着した着脱自在な係着部を示し、係着部７によってシ−ツ表面部５と裏面覆い部６との間にマットレス１を挿入できるマットレス挿入部８が形成してある。これにより、幅方向には横向きに開口したノ−スリ−ブ状開口部９を有する。
【００１３】
１０はシ−ツ２のシ−ツ表面部５の幅方向他端に続く左右一対の側方敷き込み部を示す。側方敷き込み部１０はマットレス１の側面１Ｅから裏面１Ｂにかけて折り返すことによりマットレス１とベッドＡとの間に敷き込むものでマットレス１の厚さＴに覆い幅約７ｃｍ加えた寸法Ｌ２に設定してある。
【００１４】
図１においては、シ−ツ２全体の平面図であり、被装するマットレスよりも長尺かつ幅広に形成し、シ−ツ２の上方面縁３Ａ及び、下方面縁３Ｃの幅方向一端側から中央側に約１０〜１５ｃｍ所定の位置から長手方向に沿って色糸縫着部４を縫着したものであり、シ−ツ２は平面においてマットレス１の長さＬに裏面覆い部６、６の幅Ｌ１、Ｌ１をそれぞれ加えた長さＬ３、マットレス１の幅Ｗに両側の側方敷き込み部１０、１０の幅Ｌ２、Ｌ２を加えた幅Ｌ４の大きさからなるものでシ−ツ２の大きさはマットレス１の大きさを基に無駄のない所定の大きさに設定してある。
【００１５】
図２に示される実施例は、図１の長手方向両端に位置する裏面覆い部６を裏面側に折り返し、マットレス挿入部８の幅方向両端にはシ−ツ表面部５と裏面覆い部６とを係着する、係着部７が施されている。
【００１６】
図３に示されるのは、図２の実施例の裏面図であり、裏面覆い部６には長手方向縁の所定の位置から長手方向に沿って縫着された色糸縫着部４が形成されており、これはシ−ツを被装する場合にシ−ツを被せる位置は目見当で行うため、マットレス１の一端側にシ−ツ２マットレス挿入部８を被せた時にマットレス１の前端面１Ｃ側に色糸縫着部４の一部が見えるので該色糸縫着部４をマットレス１の側面一端側に合わせ、他端側のマットレス挿入部８をマットレス後端面１Ｄ側に被せる時も、同じく、マットレス１の側面一端側に色糸縫着部４を合わせると側方敷き込み部１０をほぼ均等にとれるので、使用中に捲れたり、ずり落ちたりする問題も防ぐことができる。
【００１７】
図４の実施例はマットレス１にシ−ツ２を被装した裏面図で、マットレス１より幅方向外側はマットレス１の裏面１Ｂ側に敷き込む側方敷き込み部１０として形成されている。また、マットレス１の後端面１Ｄ側にはシ−ツ２の裏面覆い部６に施されている色糸縫着部４が示されている。
【００１８】
図５に示されるのは図３の実施例の部分拡大図で裏面覆い部６の幅方向一端側から中央側に約１０〜１５ｃｍの位置には長手方向に沿って色糸縫着部４が縫着されており、マットレス挿入部８の幅方向端にはシ−ツ表面部５と裏面覆い部６を係着する係着部７が施されている。また、マットレス挿入部８の幅方向には横向きに開口するノ−スリ−ブ状開口部９を有している。
【００１９】
図６はマットレス１にシ−ツ２を被装した側面拡大図で、マットレスを挿入したことによりノ−スリ−ブ状開口部が横向きに開口している。折り返し部をノ−スリ−ブ状に形成したことにより、薄いマットレスでもマットレスにべッドパット及び綿布団を重ね、厚くなったものにシ−ツを被装した場合でもノ−スリ−ブ状の折り返しがマットレスの厚さに関係なく対応し、折り返し部分の奥までマットレスを挿入して被装することができる。
【００２０】
なお、シ−ツ織物３の大きさは全長をマットレス１よりも約３０〜４０ｃｍ縦長に、幅を約２０〜３０ｃｍ幅広にしたものだがこの数値は一例であるので、たとえば長さを約４０〜５０ｃｍ縦長に、幅を約３０〜４０ｃｍ幅広に設定してもよいものであり、他にもシ−ツ織物３は綿とポリエステルを混合したものからなるとしているが、織物、編み物、経編み、緯編み、不織布からなるものとしてもよい。
【００２１】
【発明の効果】
本発明は、以上詳述した如く構成したので、下記の諸効果を奏する。
（１）マットレス挿入部を形成する折り返し部は、ノ−スリ−ブ状に折り返して係着する事により、多量のシ−ツ交換作業を一人でも容易にかつ迅速に行うことができ、作業性にも優れているし、仕上がりよく被装できる。
（２）色糸縫着部により、マットレスに対してシ−ツを所定の位置に正確に位置決めできるので、従来技術のように過大なシ−ツ織物を使用する必要がないのでシ−ツの製造コスト、洗濯量、洗濯による水道料、下水量を低減することができる。
（３）脱着自在の係着部を形成したので、洗濯作業でのアイロン（シ−ツロ−ル業務用）挿入時においても、シ−ツ長手方向下方部の係着部をはずすことにより折り返し部の垂れ下がりをなくし、しわを防ぐことができる。
（４）裏面覆い部及びノ−スリ−ブ状開口部を形成することにより様々なマットレスの厚さにも対応して被装することができる。
【図面の簡単な説明】
【図１】シ−ツ織物の全体を示した平面図である。
【図２】シ−ツの実施例を示す表面図である。
【図３】シ−ツの実施例を示す裏面図である。
【図４】マットレスに被装したシ−ツの裏面図である。
【図５】図３の要部拡大図である
【図６】マットレスに被装したシ−ツ側面側の要部拡大斜視図である。
【符号の説明】
１            マットレス
２            シ−ツ
３            シ−ツ織物
４            色糸縫着部
５            シ−ツ表面部
６            裏面覆い部
７            係着部
８            マットレス挿入部
９            ノ−スリ−ブ状開口部
１０          側方敷き込み部
【図１】
0003702170.tif 000002
【図２】
0003702170.tif 000003
【図３】
0003702170.tif 000004
【図４】
0003702170.tif 000005
【図５】
0003702170.tif 000006
【図６】
0003702170.tif 000007